(57)【要約】【課題】  被縫製物を内枠と外枠とを有する刺しゅう枠に保持する際に、押付部の間隔を変更することにより、刺しゅう枠に対する被縫製物の締め付け具合を調節できる刺しゅう枠固定部材を提供すること。【解決手段】  被縫製物Ｆを挟持する内枠２と外枠３とを有する刺しゅう枠１に装着する刺しゅう枠固定部材５であって、前記内枠２の内側と前記外枠３の外側とを押し付ける一対の押付部１１，１２を有する固定ユニット１０と、前記一対の押付部１１，１２の間隔を変更する一対のスライド部３１，３２を有し、前記一対の押付部に対して摺動するスライドユニット３０と、を備え、前記一対の押付部１１，１２のいずれかと該押付部１１か１２を押し付ける前記スライド部３１か３２との対向面は、前記摺動する方向に対して傾斜することを特徴とする。【選択図】  図１
2020078491.tif 000002
【特許請求の範囲】
【請求項１】
被縫製物を挟持する内枠と外枠とを有する刺しゅう枠に装着する刺しゅう枠固定部材であって、
前記内枠の内側と前記外枠の外側とを押し付ける一対の押付部を有する固定ユニットと、
前記一対の押付部の間隔を変更する一対のスライド部を有し、前記一対の押付部に対して摺動するスライドユニットと、を備え、
前記一対の押付部のいずれかと該押付部を押し付ける前記スライド部との対向面は、前記摺動する方向に対して傾斜することを特徴とする刺しゅう枠固定部材。
【請求項２】
前記固定ユニットは、
前記一対の押付部として、前記内枠を押し付ける内枠側押付部と前記外枠を押し付ける外枠側押付部とを有し、さらに、前記内枠側押付部と前記外枠側押付部とを連結する固定連結部を有し、
前記スライドユニットは、
前記一対のスライド部として、前記内枠側押付部を外枠側に押し付ける内枠側スライド部と前記外枠側押付部を内枠側に押し付ける外枠側スライド部とを有し、さらに、前記内枠側スライド部と前記外枠側スライド部とを連結するスライド連結部を有し、
前記固定連結部と前記スライド連結部は、互いに係合して摺動する係合摺動部を有することを特徴とする請求項１に記載の刺しゅう枠固定部材。
【請求項３】
前記固定ユニットは、被縫製物を直接押圧する押圧部を有することを特徴とする請求項２に記載の刺しゅう枠固定部材。
【請求項４】
前記スライドユニットは、係止部を有し、
前記固定ユニットは、前記スライドユニットの摺動方向に沿って、前記係止部が係合する被係止部を有することを特徴とする請求項１〜３のいずれかに記載の刺しゅう枠固定部材。
【請求項５】
前記係止部は、上下方向に変形するレバー部と、前記レバー部に形成され、前記被係止部から離脱するための把手部と、を備えることを特徴とする請求項４に記載の刺しゅう枠固定部材。
【請求項６】
前記係止部は、前記被係止部と係合する係止爪を有し、
前記係止爪は、前記固定ユニットの押付部を押し付ける際に、前記被係止部を乗り越えるテーパ面と、前記テーパ面とは反対側に前記被係止部からの離脱を阻止する係止面と、を有することを特徴とする請求項４に記載の刺しゅう枠固定部材。
【発明の詳細な説明】
【技術分野】
【０００１】
本発明は、刺しゅう機能を有するミシンに装着する刺しゅう枠に関し、特に、刺しゅう枠に被縫製物を固定する際に使用する刺しゅう枠固定部材に関するものである。
【背景技術】
【０００２】
従来から、刺しゅう枠に被縫製物を張設する場合に、前記刺しゅう枠の内周縁に周状に形成された突条に複数個のクリップを嵌着させ、該クリップにより被縫製物を刺しゅう枠に挟み込むようにした刺しゅう枠用クリップとして、前記突条に嵌着されるクリップ本体と、前記クリップ本体に装着され、前記被縫製物における刺しゅうの進行に伴って該クリップ本体が拡開変形するのを防止する補助部材とから構成した刺しゅう枠用クリップが知られている（特許文献１参照）。
【０００３】
しかし、前記特許文献１記載の刺しゅう枠用クリップでは、周状に形成された突条の上面に、クリップにより被縫製物を挟み込むようにしているために、綿の入ったキルト地のような厚物の被縫製物を刺しゅう枠に張設する際に、クリップ本体が被縫製物を挟めなかったり、挟めたとしても直ぐに外れてしまうという問題があった。
この課題に対して、４辺の枠辺部からなる略方形状の枠体と、頂部と該頂部の幅方向両端から二股状に形成されたガイド片とからなる保持具と、前記枠体又は前記保持具のいずれか一方側に装着される磁石部材と、他方側に装着された被吸着部材とからなり、前記枠体の各枠辺部には、前記保持具を磁力を介して着脱自在としてなるミシン用刺しゅう枠が知られている（特許文献２参照）。
【０００４】
また、両端部同士が対向するような枠状に形成された外枠と、前記外枠の内側に嵌め込み可能となるように枠状に形成された内枠とを有し、被縫製物を前記内枠に張った状態で前記内枠と前記外枠の間に挟み込んで保持し、前記外枠の両端部間の間隔を調節することにより、被縫製物の厚さに対応させて外枠の締め付け力を調節することができるミシンの刺しゅう枠装置も知られている（特許文献３参照）。
【先行技術文献】
【特許文献】
【０００５】
【特許文献１】特開２００１−３１４６７９号公報
【特許文献２】特開２０１０−８２０１７号公報
【特許文献３】特開２００８−２７９１８４号公報
【発明の概要】
【発明が解決しようとする課題】
【０００６】
しかしながら、前記特許文献２記載の刺しゅう枠では、枠体に対して被縫製物の張り替え時には、枠体から保持具を外すだけで、被縫製物が自由状態になり、容易に張り替えを行うことはできるが、ガイド片の幅が固定されているために、被縫製物が厚すぎる場合に枠体と保持具との間に被縫製物を保持できないという問題があった。
また、前記特許文献３記載の刺しゅう枠装置では、刺しゅう枠への被縫製物の着脱を容易に行うことができるものの、被縫製部が厚すぎる場合に内枠に対する外枠の保持力が弱くなり、被縫製物が刺しゅう枠から外れ易くなるという問題があった。
【０００７】
本発明は、上記問題を解決することを課題とし、被縫製物を内枠と外枠とを有する刺しゅう枠に保持する際に、押付部の間隔を変更することにより、刺しゅう枠に対する被縫製物の締め付け具合を調節できる刺しゅう枠固定部材を提供することを目的とする。
【課題を解決するための手段】
【０００８】
本発明は、上記の課題を解決するため、刺しゅう枠固定部材として、被縫製物を挟持する内枠と外枠とを有する刺しゅう枠に装着する刺しゅう枠固定部材であって、前記内枠の内側と前記外枠の外側とを押し付ける一対の押付部を有する固定ユニットと、前記一対の押付部の間隔を変更する一対のスライド部を有し、前記一対の押付部に対して摺動するスライドユニットと、を備え、前記一対の押付部のいずれかと該押付部を押し付ける前記スライド部との対向面は、前記摺動する方向に対して傾斜することを特徴とする構成を採用する。
【０００９】
本発明の刺しゅう枠固定部材の具体的実施形態として、前記固定ユニットは、前記一対の押付部として、前記内枠を押し付ける内枠側押付部と前記外枠を押し付ける外枠側押付部とを有し、さらに、前記内枠側押付部と前記外枠側押付部とを連結する固定連結部を有し、前記スライドユニットは、前記一対のスライド部として、前記内枠側押付部を外枠側に押し付ける内枠側スライド部と前記外枠側押付部を内枠側に押し付ける外枠側スライド部とを有し、さらに、前記内枠側スライド部と前記外枠側スライド部とを連結するスライド連結部を有し、前記固定連結部と前記スライド連結部は、互いに係合して摺動する係合摺動部を有することを特徴とする構成を採用し、また、前記固定ユニットは、被縫製物を直接押圧する押圧部を有することを特徴とする構成を採用する。
【００１０】
本発明の刺しゅう枠固定部材の別の具体的実施形態として、前記スライドユニットは、係止部を有し、前記固定ユニットは、前記スライドユニットの摺動方向に沿って、前記係止部が係合する被係止部を有することを特徴とする構成を採用し、また、前記係止部は、上下方向に変形するレバー部と、前記レバー部に形成され、前記被係止部から離脱するための把手部と、を備えることを特徴とする構成を採用し、また、前記係止部は、前記被係止部と係合する係止爪を有し、前記係止爪は、前記固定ユニットの押付部を押し付ける際に、前記被係止部を乗り越えるテーパ面と、前記テーパ面とは反対側に前記被係止部からの離脱を阻止する係止面と、を有することを特徴とする構成を採用する。
【発明の効果】
【００１１】
本発明の刺しゅう枠固定部材は、刺しゅう枠の内枠の内側と外枠の外側とを押し付ける一対の押付部を有する固定ユニットと、前記一対の押付部の間隔を変更する一対のスライド部を有し、前記一対の押付部に対して摺動するスライドユニットとを備え、前記一対の押付部のいずれかと該押付部を押し付ける前記スライド部との対向面は、前記摺動する方向に対して傾斜することにより、被縫製物を挟持する内枠と外枠とを有する刺しゅう枠において、前記スライドユニットを前記固定ユニットに対してスライドするだけで前記一対の押付部の間隔を変更することができ、刺しゅう枠に対する被縫製物の締め付け具合を調節することができる。
【００１２】
また、本発明の刺しゅう枠固定部材は、前記スライドユニットが、係止部を有し、前記固定ユニットが、前記スライドユニットの摺動方向に沿って、前記係止部が係合する被係止部を有することにより、不用意に前記固定ユニットが前記刺しゅう枠に対する締め付けを緩めないように、前記スライドユニットは、前記係止部が前記固定ユニットの被係止部と係合することにより、前記スライドユニットが前記固定ユニットの押付部の押し付けを緩める方向へスライドすることを阻止することができる。
【図面の簡単な説明】
【００１３】
【図１】本発明の第１実施例に係る刺しゅう枠固定部材を刺しゅう枠に装着した状態を示す全体斜視図である。
【図２】本発明の第１実施例に係る刺しゅう枠固定部材を刺しゅう枠に装着する手順を説明する図であり、（ａ）は内枠および外枠によって布を保持した状態を示す断面図、（ｂ）は布を保持した刺しゅう枠に刺しゅう枠固定部材を装着した状態を示す断面図である。
【図３】本発明の第１実施例に係る刺しゅう枠固定部材のスライドユニットによる締め付け圧の調節原理を説明する模式図であり、（ａ）は内枠および外枠を押さえ付ける前の状態を示す図、（ｂ）は内枠および外枠を押さえ付けた状態を示す図である。
【図４】本発明の第２実施例に係る刺しゅう枠固定部材を示す図であり、（ａ）は斜視図、（ｂ）は縦断面図である。
【図５】本発明の第２実施例に係る刺しゅう枠固定部材のスライドユニットによる締め付け圧の調節原理を説明する模式図であり、（ａ）は内枠および外枠を押さえ付ける前の状態を示す図、（ｂ）は内枠および外枠を押さえ付けた状態を示す図である。
【発明を実施するための形態】
【００１４】
つぎに、本発明の実施の形態に係る刺しゅう枠固定部材について、実施例に示した図面を参照して説明する。
なお、実施例１の説明では、図１の斜視図でみて、縦方向を「上下」、左下から右上方向を「前後」または「軸方向」、左方向を「内枠側」、右方向を「外枠側」とする。
また、実施例２の説明では、図４（ａ）の斜視図でみて、縦方向を「上下」、左上から右下方向を「前後」または「軸方向」、右上方向を「内枠側」、左下方向を「外枠側」とする。
【実施例１】
【００１５】
図１および図２（ｂ）において、１は刺しゅう機能付きミシンや自動刺しゅう機などの刺しゅうミシンによって刺しゅう模様を縫う際に使用される刺しゅう枠、２は被縫製物である布Ｆを下面で押さえる枠状の内枠、３は前記内枠２の外側から布Ｆを挟持する外枠であり、前記刺しゅう枠１を構成する前記内枠２と外枠３は、複数個の固定部材５によって布Ｆを保持している。
内枠２は、平面視で略長方形状や略正方形状等の矩形状に形成され、布Ｆを保持可能な外側形状に形成された４辺から構成され、外枠３は、夫々の対向面で対向する両端部を有し、内枠２との間で布Ｆを保持するために、内枠２の外側形状に対応する内側形状に形成され、前記両端部の間隔は、ねじ等の調節部材によって調節可能になっている。
【００１６】
図２（ｂ）に示すように、前記固定部材５は、布Ｆを挟持する内枠２と外枠３とを有する刺しゅう枠１に装着し、内枠２の内側と外枠３の外側とを押し付ける一対の押付部である押付壁１１，１２を有する固定ユニット１０と、布Ｆの厚さに応じて前記一対の押付壁１１，１２の間隔を変更する一対のスライド部であるスライド壁３１，３２を有し、前記刺しゅう枠１の軸方向（固定ユニット１０に対して前後方向）に摺動するスライドユニット３０とを備える。
なお、スライドユニット３０の摺動方向は、前記軸方向のみでなく、上下方向等、軸方向と垂直方向などでも良く、刺しゅう枠１の軸方向に限定されない。
【００１７】
前記固定ユニット１０は、前記一対の押付部として、内枠２の内側を押し付ける内枠側押付部である内枠側押付壁１１と外枠３の外側を押し付ける外枠側押付部である外枠側押付壁１２とを有し、さらに、前記内枠側押付壁１１の上端部と前記外枠側押付壁１２の上端部とを連結する固定連結部１４を有している。
前記内枠側押付壁１１および前記外枠側押付壁１２は、上端部が薄肉に形成されるヒンジ部１３を介して固定連結部１４に連結されているので、前記内枠側押付壁１１および前記外枠側押付壁１２は、それぞれヒンジ部１３を支点として内側に揺動可能で、側方から押し付けることで前記内枠側押付壁１１と前記外枠側押付壁１２との間隔を変更するようになっている。
【００１８】
前記固定連結部１４は、内枠側押付壁１１上端のヒンジ部１３から内方に延設される内枠側横壁１５と、外枠側押付壁１２上端のヒンジ部１３から内方に延設される外枠側横壁１６と、内枠側横壁１５の内縁から立設される内枠側縦壁１７と、外枠側横壁１６の内縁から立設される外枠側縦壁１８と、内枠側縦壁１７上端と外枠側縦壁１８上端とを接続する天壁１９とから構成されている。
前記内枠側横壁１５および外枠側横壁１６（固定連結部１４）の下面には、外枠３の上面に載置される布Ｆを直接押圧する押圧部である布押え部２０が固定ねじ２９によって取着されている。前記布押え部２０は、磁石で形成され、外枠３は、磁石で吸着可能な材料で形成されている。
【００１９】
前記内枠側押付壁１１は、下端内側に内枠側押圧突起部２１が中間部を除き軸方向に沿って形成され、外側には、軸方向に沿って内枠側押付傾斜面２３が形成されている。
同様に、前記外枠側押付壁１２は、下端内側に布Ｆを直接押圧する押圧部である外枠側押圧突起部２２が中間部を除き軸方向に沿って形成され、外側には、軸方向に沿って外枠側押付傾斜面２４が形成されている。
前記内枠側押付傾斜面２３および前記外枠側押付傾斜面２４は、図３に示すように、前記刺しゅう枠１の軸方向に対して傾斜する（前方から後方に向かって外方へ拡がる）ように形成されている。
前記天壁１９は、左側面に形成される内枠側摺動突部２５と、右側面に形成される外枠側摺動突部２６と、前端上面に形成される第１停止部２７と、後端上面に形成される第２停止部２８とを有している。
【００２０】
図２（ｂ）に示すように、前記スライドユニット３０は、前記一対のスライド部として、前記内枠側押付壁１１の外側を外枠３側に押し付ける内枠側スライド部である内枠側スライド壁３１と前記外枠側押付壁１２の外側を内枠２側に押し付ける外枠側スライド部である外枠側スライド壁３２とを有し、さらに、前記内枠側スライド壁３１の上端部と前記外枠側スライド壁３２の上端部とを固く連結するスライド連結部である頂壁３３を有している。
【００２１】
図３に示すように、前記内枠側スライド壁３１は、下部内側に前記固定ユニット１０の内枠側押付傾斜面２３と摺接する内枠側スライド傾斜面３４が形成され、表面には、軸方向に沿ってローレット３７が形成されている。
同様に、前記外枠側スライド壁３２は、下部内側に前記固定ユニット１０の外枠側押付傾斜面２４と摺接する外枠側スライド傾斜面３５が形成され、表面には、軸方向に沿ってローレット３７が形成されている。
前記頂壁３３は、前記固定ユニット１０の天壁１９から左右に突設される内枠側摺動突部２５および外枠側摺動突部２６が収容される摺動溝部３６が、下面から形成されている。
ここで、前記固定連結部１４の内枠側摺動突部２５および外枠側摺動突部２６と、前記スライド連結部３３の摺動溝部３６とは、互いに係合して摺動する係合摺動部を形成している
【００２２】
つぎに、本実施例の使用態様と作用効果について説明する。
まず、本実施例の刺しゅう枠１に布Ｆを保持するには、図２（ａ）に示すように、外枠３の両端部の間隔を拡げたまま、布Ｆを内枠２の下面から外側に持ち上げた状態で、上方から外枠３の内側に押し込み、内枠２の外側に外枠３を押し付け、布Ｆを内枠２と外枠３との間に挟持した後、布Ｆを外枠３の上面に載置した状態で外枠３の外側に沿って垂らしておく。
【００２３】
つぎに、固定部材５を刺しゅう枠１の上から装着するに当たって、準備作業として、スライドユニット３０を固定ユニット１０に対して、図３（ａ）に示す初期位置にすることで、固定ユニット１０の内枠側押付傾斜面２３とスライドユニット３０の内枠側スライド傾斜面３４との間、および固定ユニット１０の外枠側押付傾斜面２４とスライドユニット３０の外枠側スライド傾斜面３５との間に、それぞれ隙間ｓが生じ、固定ユニット１０の内枠側押付壁１１および外枠側押付壁１２は、最も開いた状態になる。
準備作業の終了後、図２（ｂ）に示すように、布Ｆを内枠２と外枠３の間に保持した刺しゅう枠１の上から必要に応じて複数個の固定部材５を装着すると、固定ユニット１０は、布押え部２０によって外枠３の上面に載置される布Ｆを押圧するとともに、外枠側押付壁１２によって、布Ｆを外枠３の上面から外側に沿って折り曲げた状態にするだけでなく、外枠側押圧突起部２２によって布Ｆを外枠３の外側に押圧する。
【００２４】
固定部材５を刺しゅう枠１に装着した後、使用する布Ｆの布厚に応じて、内枠２と外枠３の締め付け具合を調節するために、スライドユニット３０の内枠側スライド壁３１と外枠側スライド壁３２の表面に形成されたローレット３７を手指で掴み、図３（ｂ）に示すように、スライドユニット３０を固定ユニット１０に対して矢印方向（軸方向）にスライドさせる。
すると、固定ユニット１０の内枠側押付傾斜面２３とスライドユニット３０の内枠側スライド傾斜面３４との間、および固定ユニット１０の外枠側押付傾斜面２４とスライドユニット３０の外枠側スライド傾斜面３５との間は、それぞれ近づき合い、それぞれの隙間ｓは、やがて消滅する。
【００２５】
このように、固定部材５は、スライドユニット３０の内枠側スライド傾斜面３４および外枠側スライド傾斜面３５が、固定ユニット１０の内枠側押付傾斜面２３および外枠側押付傾斜面２４に沿って摺動することにより、隙間ｓが詰まり、スライドユニット３０の内枠側スライド壁３１および外枠側スライド壁３２は、固定ユニット１０の内枠側押付壁１１および外枠側押付壁１２をヒンジ部１３を支点として内向きに押し付け、布Ｆを、内枠２と外枠３との間、外枠３の上面と布押え部２０との間、および外枠３の外側と外枠側押圧突起部２２との間に挟み込んだ状態で保持することができる。
なお、本実施例では、固定ユニット１０に内枠側押付傾斜面２３および外枠側押付傾斜面２４を形成し、スライドユニット３０に内枠側スライド壁３１および外枠側スライド壁３２を形成しているが、固定ユニット１０およびスライドユニット３０には、内枠２側か外枠３側のいずれかの対向面を、それぞれ刺しゅう枠１の軸方向に対して傾斜するようにしても構わない。
さらに、本実施例では、前記固定ユニット１０の天壁１９は、前端上面に形成される第１停止部２７と、後端上面に形成される第２停止部２８とを備えることにより、スライドユニット３０を前後方向にスライドさせた際に、固定ユニット１０から外れてしまうことを防止することができる。
【００２６】
つぎに、刺しゅう枠１に装着した固定部材５を取り外す際には、図３（ｂ）に示す状態からスライドユニット３０を左方向にスライドして図３（ａ）に示す初期位置に戻すと、固定ユニット１０の内枠側押付傾斜面２３とスライドユニット３０の内枠側スライド傾斜面３４との間、および固定ユニット１０の外枠側押付傾斜面２４とスライドユニット３０の外枠側スライド傾斜面３５との間に、それぞれ隙間ｓが生じ、固定ユニット１０の内枠側押付壁１１および外枠側押付壁１２は、最も開いた状態となり、固定部材５は、刺しゅう枠１から簡単に取り外すことができる。
【実施例２】
【００２７】
つぎに、第１実施例の固定部材５を構成する固定ユニット１０およびスライドユニット３０の構造を変更した第２実施例について説明する。
図４および５において、７は布Ｆを挟持する内枠２と外枠３とを有する刺しゅう枠１に複数個装着される固定部材、４０は内枠２の内側と外枠３の外側とを押し付ける一対の押付部である押付壁４１，４２を有する固定ユニット、６０は前記一対の押付壁４１，４２の間隔を変更する一対のスライド部であるスライド壁６１，６２を有し、前記刺しゅう枠１の軸方向に摺動するスライドユニットである。
【００２８】
前記固定ユニット４０は、前記一対の押付部として、内枠２の内側を押し付ける内枠側押付部である内枠側押付壁４１と外枠３の外側を押し付ける外枠側押付部である外枠側押付壁４２とを有し、さらに、前記内枠側押付壁４１の上端部と前記外枠側押付壁４２の上端部とを連結する固定連結部４４を有している。
前記内枠側押付壁４１および前記外枠側押付壁４２は、上端部が薄肉に形成されるヒンジ部４３を介して固定連結部４４に連結されているので、前記内枠側押付壁４１および前記外枠側押付壁４２は、それぞれヒンジ部４３を支点として内側に揺動し、前記内枠側押付壁４１と前記外枠側押付壁４２との間隔を変更するようになっている。
【００２９】
前記固定連結部４４は、内枠側押付壁４１上端のヒンジ部４３から内方に延設される内枠側横壁４５と、外枠側押付壁４２上端のヒンジ部４３から内方に延設される外枠側横壁４６と、内枠側横壁４５の内縁から立設される内枠側縦壁４７と、外枠側横壁４６の内縁から立設される外枠側縦壁４８と、内枠側縦壁４７上端と外枠側縦壁４８上端とを接続する天壁４９とから構成されている。
前記内枠側横壁４５および外枠側横壁４６（固定連結部４４）の下面には、外枠３の上面に載置される布Ｆを直接押圧する押圧部である布押え部５０が固定ねじ５９によって取着されている。
【００３０】
前記内枠側押付壁４１は、下端内側に内枠側押圧突起部５１が中間部を除き軸方向に沿って形成され、外側には、軸方向に沿って内枠側押付傾斜面５３が形成されている。
同様に、前記外枠側押付壁４２は、下端内側に布Ｆを直接押圧する押圧部である外枠側押圧突起部５２が中間部を除き軸方向に沿って形成され、外側には、軸方向に沿って外枠側押付傾斜面５４が形成されている。
前記内枠側押付傾斜面５３および前記外枠側押付傾斜面５４は、図５に示すように、前記刺しゅう枠１の軸方向に傾斜するように形成されている。
【００３１】
前記天壁４９は、右側面に形成される内枠側摺動突部５５と、左側面に形成される外枠側摺動突部５６と、後端上面に形成される第２停止部５７とを有している。
本実施例では、前記天壁４９（固定連結部４４）は、前記第２停止部５７に隣接し、前記スライドユニット６０の摺動方向に沿って上面から凹状に形成される複数の凹部５８を有し、前記凹部５８は、縁部５８ａが後述するスライドユニット６０の係止部である鉤状係止部７０と係合する被係止部として機能する。
【００３２】
前記スライドユニット６０は、前記一対のスライド部として、前記内枠側押付壁４１の外側を外枠３側に押し付ける内枠側スライド壁６１と前記外枠側押付壁４２の外側を内枠２側に押し付ける外枠側スライド壁６２とを有し、さらに、前記内枠側スライド壁６１の上端部と前記外枠側スライド壁６２の上端部とを固く連結するスライド連結部である頂壁６３を有している。
【００３３】
図５に示すように、前記内枠側スライド壁６１は、下部内側に前記固定ユニット４０の内枠側押付傾斜面５３と摺接する内枠側スライド傾斜面６４が形成され、表面には、軸方向に沿ってローレット６７が形成されている。
同様に、前記外枠側スライド壁６２は、下部内側に前記固定ユニット４０の外枠側押付傾斜面５４と摺接する外枠側スライド傾斜面６５が形成され、表面には、軸方向に沿ってローレット６７が形成されている。
前記頂壁６３は、前記固定ユニット４０の天壁４９から左右に突設される内枠側摺動突部５５および外枠側摺動突部５６が収容される摺動溝部６６が、下面から形成されている。
ここで、前記固定連結部４４の内枠側摺動突部５５および外枠側摺動突部５６と、前記スライド連結部６３の摺動溝部６６とは、互いに係合して摺動する係合摺動部を形成している。
【００３４】
本実施例では、前記頂壁（スライド連結部）６３は、前記固定ユニット４０の固定連結部４４（天壁４９）に向けて形成される係止部である鉤状係止部７０を備えている。
前記鉤状係止部７０は、前記固定ユニット４０の天壁４９の上面と対向し、前記頂壁６３の一部に軸方向の切り込み６３ａを入れることにより形成され、上下方向に変形するレバー部７１と、前記レバー部７１の先端から垂設され、前記固定ユニット４０の凹部５８と係合する係止爪７２と、前記レバー部７１の先端から逆Ｌ字状に立設され、係止爪７２を被係止部である凹部５８から離脱するための把手部７３とを有している。
前記係止爪７２は、前記スライドユニット６０が前記固定ユニット４０の押付壁４１，４２を押し付ける方向にスライドされた際に、前記固定ユニット４０の凹部５８の縁部５８ａを乗り越え可能なテーパ面７２ａと、前記スライドユニット６０が前記固定ユニット４０の押付壁４１，４２を緩める方向にスライドされた際に、前記テーパ面７２ａとは反対側に凹部５８の縁部５８ａと係合する係止面７２ｂとを有している。
【００３５】
つぎに、本実施例の使用態様と作用効果について説明する。
まず、固定部材７を刺しゅう枠１の上から装着するに当たって、第１実施例と同様に、準備作業として、スライドユニット６０を固定ユニット４０に対して、図５（ａ）に示す初期位置にすることで、固定ユニット４０の内枠側押付壁４１および外枠側押付壁４２は、最も開いた状態になる。
準備作業の終了後、布Ｆを内枠２と外枠３の間に保持した刺しゅう枠１の上から固定部材７を装着する。
【００３６】
固定部材７を刺しゅう枠１に装着した後、使用する布Ｆの布厚に応じて、内枠２と外枠３の締め付け具合を調節するために、スライドユニット６０の内枠側スライド壁６１と外枠側スライド壁６２の表面に形成されたローレット６７を手指で掴み、図５（ｂ）に示すように、スライドユニット６０を固定ユニット４０に対して矢印方向にスライドさせる。
この際に、図４（ｂ）に示すように、固定ユニット４０の凹部５８と係合する係止爪７２は、テーパ面７２ａが凹部５８の縁部５８ａと当接して、レバー部７１の先端が上方に変形することにより、係止爪７２が持ち上がり、係止爪７２は、凹部５８の縁部５８ａを乗り越え、隣接する凹部５８に再び入ることを繰り返すことができる。
このように、不用意に固定ユニット４０が刺しゅう枠１に対する締め付けを緩めないように、スライドユニット６０は、鉤状係止部７０が固定ユニット４０の凹部５８と係合することにより、スライドユニット６０が前方へスライドすることを阻止することができる。
【００３７】
このように、スライドユニット６０の内枠側スライド傾斜面６４および外枠側スライド傾斜面６５は、固定ユニット４０の内枠側押付傾斜面５３および外枠側押付傾斜面５４に沿って摺動することにより、隙間ｓが詰まり、スライドユニット６０の内枠側スライド壁６１および外枠側スライド壁６２は、固定ユニット４０の内枠側押付壁４１および外枠側押付壁４２をヒンジ部４３を支点として内向きに押し付け、布Ｆを、内枠２と外枠３との間、外枠３の上面と布押え部５０との間、および外枠３の外側と外枠側押圧突起部５２との間に挟み込んだ状態で保持することができる。
なお、本実施例では、前記固定ユニット４０の天壁４９は、後端上面に形成される第２停止部５７を備えることにより、スライドユニット６０を後方にスライドさせた際に、固定ユニット４０から外れてしまうことを防止することができる。
【００３８】
つぎに、刺しゅう枠１に装着した固定部材７を取り外す際には、図５（ｂ）に示す状態からスライドユニット６０を左方向にスライドして図５（ａ）に示す初期位置に戻すために、本実施例では、スライドユニット６０の鉤状係止部７０は、固定ユニット４０の凹部５８との係合を外す必要がある。
この際には、図４（ｂ）に示すように、把手部７３に指を掛けて上方に持ち上がることにより、レバー部７１が上方に変形し、係止爪７２を固定ユニット４０の凹部５８から外すことができる。
前記スライドユニット６０を初期位置に戻すと、固定ユニット４０の内枠側押付傾斜面５３とスライドユニット６０の内枠側スライド傾斜面６４との間、および固定ユニット４０の外枠側押付傾斜面５４とスライドユニット６０の外枠側スライド傾斜面６５との間に、それぞれ隙間ｓが生じ、固定ユニット４０の内枠側押付壁４１および外枠側押付壁４２は、最も開いた状態となり、固定部材７は、刺しゅう枠１から簡単に取り外すことができる。
【産業上の利用可能性】
【００３９】
本発明の刺しゅう枠固定部材は、刺しゅう枠の内枠の内側と外枠の外側とを押し付ける一対の押付部を有する固定ユニットと、前記一対の押付部の間隔を変更する一対のスライド部を有し、前記一対の押付部に対して摺動するスライドユニットとを備え、前記一対の押付部のいずれかと該押付部を押し付ける前記スライド部との対向面は、前記摺動する方向に対して傾斜することにより、被縫製物を挟持する内枠と外枠とを有する刺しゅう枠において、前記スライドユニットを前記固定ユニットに対してスライドするだけで前記一対の押付部の間隔を変更することができ、刺しゅう枠に対する被縫製物の締め付け具合を調節することができ、刺しゅう機能付きミシンや自動刺しゅう機などの刺しゅうミシンに広く適用して有利なものである。
【符号の説明】
【００４０】
Ｆ            布（被縫製物）
ｓ            隙間
１            刺しゅう枠
２            内枠
３            外枠
５、７        固定部材
１０、４０      固定ユニット
１１、４１      内枠側押付壁（内枠側押付部）
１２、４２      外枠側押付壁（外枠側押付部）
１３、４３      ヒンジ部
１４、４４      固定連結部
１５、４５      内枠側横壁
１６、４６      外枠側横壁
１７、４７      内枠側縦壁
１８、４８      外枠側縦壁
１９、４９      天壁
２０、５０      布押え部（押圧部）
２１、５１      内枠側押圧突起部
２２、５２      外枠側押圧突起部（押圧部）
２３、５３      内枠側押付傾斜面
２４、５４      外枠側押付傾斜面
２５、５５      内枠側摺動突部（係合摺動部）
２６、５６      外枠側摺動突部（係合摺動部）
２７            第１停止部
２８、５７      第２停止部
２９、５９      固定ねじ
３０、６０      スライドユニット
３１、６１      内枠側スライド壁（内枠側スライド部）
３２、６２      外枠側スライド壁（外枠側スライド部）
３３、６３      頂壁（スライド連結部）
３４、６４      内枠側スライド傾斜面
３５、６５      外枠側スライド傾斜面
３６、６６      摺動溝部（係合摺動部）
３７、６７      ローレット
５８            凹部（被係止部）
５８ａ          縁部
６３ａ          切り込み
７０            鉤状係止部（係止部）
７１            レバー部
７２            係止爪
７２ａ          テーパ面
７２ｂ          係止面
７３            把手部
【図１】
2020078491.tif 000003
【図２】
2020078491.tif 000004
【図３】
2020078491.tif 000005
【図４】
2020078491.tif 000006
【図５】
2020078491.tif 000007